(57)【要約】【課題】任意の配線用遮断器に容易に取り付けることができ、また、地震後に電気の供給を再開させた際に火災が発生するのを防止することができる地震用電気遮断装置を提供する。【解決手段】本体１１は、各配線用遮断器４ａ乃至４ｊに対応する位置に着脱可能な遮断用係合部材１６ａ乃至１６ｊを有する。本体１１は、下端に重り１７が突出して設けられている。重り１７は、遮断用係合部材１６ａ乃至１６ｊが各配線用遮断器４ａ乃至４ｊと係合して重量を載せたとき、各配線用遮断器４ａ乃至４ｊを上側位置から下側位置に落とす重量を有する。ガイド部材１２は、遮断用係合部材１６ａ乃至１６ｊが係合して各配線用遮断器４ａ乃至４ｊを上側位置から下側位置に落とすよう、本体１１を案内可能に住宅用分電盤１に取り付けられる。支持部材１３は、所定以上の強度の振動により本体１１をガイド部材１２に沿って落下可能に、本体１１を重り１７で支持する。【選択図】図１
2005110458.tif 000002
【特許請求の範囲】
【請求項１】
通電する上側位置と遮断する下側位置とで切替可能な複数の配線用遮断器を有する住宅用分電盤で用いられる地震用電気遮断装置であって、
本体とガイド部材と支持部材とを有し、
前記本体は各配線用遮断器に対応する位置に着脱可能な遮断用係合部材を有し、前記遮断用係合部材が各配線用遮断器と係合して重量を載せたとき各配線用遮断器を上側位置から下側位置に落とす重量を有し、
前記ガイド部材は、前記遮断用係合部材が係合して各配線用遮断器を上側位置から下側位置に落とすよう前記本体を案内可能に前記住宅用分電盤に取り付けられ、
前記支持部材は所定以上の強度の振動により前記本体を前記ガイド部材に沿って落下可能に前記本体を支持することを、
特徴とする地震用電気遮断装置。
【請求項２】
前記本体は下端に重りが揺動可能に突出して設けられ、
前記支持部材は前記本体を前記重りで支持することを、
特徴とする請求項１記載の地震用電気遮断装置。
【発明の詳細な説明】
【技術分野】
【０００１】
本発明は、住宅用分電盤で用いられる地震用電気遮断装置に関する。
【背景技術】
【０００２】
従来、住宅用分電盤で用いられる地震用電気遮断装置として、ブレーカのレバーと重りとをひもで接続して重りを受け皿などで支持し、地震が発生すると重りが落下してブレーカのレバーを下げ、電気を遮断して漏電による火災を防止するものがある（例えば、特許文献１参照）。
【０００３】
【特許文献１】特開平１０−２０８５３９号公報
【発明の開示】
【発明が解決しようとする課題】
【０００４】
しかしながら、従来の地震用電気遮断装置は、電流制限器（主ブレーカ）や漏電遮断器（漏電ブレーカ）に取り付けて使用される。このため、地震の際、住宅内の電気が全て遮断され、夜間には電灯が消えて真っ暗になり避難が困難になるという課題があった。従来の地震用電気遮断装置は、複数の配線用遮断器（子ブレーカ）に取り付けることも可能であるが、各配線用遮断器に一組ずつ取り付けることになるため、取付けに時間と労力を要するという課題があった。
【０００５】
また、従来の地震用電気遮断装置では、アイロンやドライヤーなどの使用中に地震により全ての電気が遮断されたとき、電灯をつけるために電流制限器や漏電遮断器を戻して電気の供給を再開させる。このとき、アイロンやドライヤーを放置したままであると、電気の供給により熱を発生し、火災発生の危険性があるという課題があった。
【０００６】
本発明は、このような課題に着目してなされたもので、任意の配線用遮断器に容易に取り付けることができ、また、地震後に電気の供給を再開させた際に火災が発生するのを防止することができる地震用電気遮断装置を提供することを目的としている。
【課題を解決するための手段】
【０００７】
上記目的を達成するために、本発明に係る地震用電気遮断装置は、通電する上側位置と遮断する下側位置とで切替可能な複数の配線用遮断器を有する住宅用分電盤で用いられる地震用電気遮断装置であって、本体とガイド部材と支持部材とを有し、前記本体は各配線用遮断器に対応する位置に着脱可能な遮断用係合部材を有し、前記遮断用係合部材が各配線用遮断器と係合して重量を載せたとき各配線用遮断器を上側位置から下側位置に落とす重量を有し、前記ガイド部材は、前記遮断用係合部材が係合して各配線用遮断器を上側位置から下側位置に落とすよう前記本体を案内可能に前記住宅用分電盤に取り付けられ、前記支持部材は所定以上の強度の振動により前記本体を前記ガイド部材に沿って落下可能に前記本体を支持することを、特徴とする。
【０００８】
本発明に係る地震用電気遮断装置は、支持部材で本体を支持した状態で、ガイド部材を住宅用分電盤に取り付けて使用される。このとき、地震時に遮断する配線用遮断器に対応する位置に遮断用係合部材を取り付け、地震時に遮断しない配線用遮断器に対応する位置の遮断用係合部材を取り外す。このように、本発明に係る地震用電気遮断装置は、遮断用係合部材が着脱可能であるため、複数の配線用遮断器のうち地震時に遮断したい任意の配線用遮断器に容易に取り付けることができる。地震時に遮断したい配線用遮断器は、設定後に変更することができる。
【０００９】
本発明に係る地震用電気遮断装置では、地震により所定以上の強度の振動が加えられると、本体が支持部材からガイド部材に沿って落下する。このとき、本体の遮断用係合部材が対応する配線用遮断器と係合し、本体の重量により配線用遮断器を上側位置から下側位置に落とす。下側位置に落とされた配線用遮断器に対応する電気の供給は、遮断される。これによって、漏電による火災を防止することができる。それ以外の配線用遮断器は、そのまま落とされずに上側位置に維持され、それに対応する電気の供給は確保される。
【００１０】
遮断用係合部材を着脱するとき、電灯に対応する配線用遮断器には地震時に遮断しないよう対応する遮断用係合部材を取り外し、室内コンセントに対応する配線用遮断器には地震時に遮断するよう対応する遮断用係合部材を取り付けることが好ましい。この場合、地震時でも電灯に電気を供給して夜間に明かりを確保し、避難を容易にすることができる。地震後に電灯は点いているため、室内コンセントに対応する配線用遮断器を上側位置に戻して電気の供給を再開させる際に、室内コンセントに接続された電気器具を確認し、それによる火災発生を防止することができる。
【００１１】
本発明に係る地震用電気遮断装置で、前記本体は下端に重りが揺動可能に突出して設けられ、前記支持部材は前記本体を前記重りで支持することが好ましい。この場合、地震が起きたとき、重りが支持部材の上で揺動し、本体を落下させやすくする。これにより、地震が起きたとき、本体の落下を容易にし、遮断用係合部材による配線用遮断器の遮断をより確実に行うことができる。重りは、本体に弾性部材を介して揺動可能に設けられていることが好ましい。この場合、弾性部材としては、コイルバネ、ゴムその他、重りの揺れを本体に伝えるものが利用できる。弾性部材を利用した場合、重りが支持部材から外れて落下したとき、重りの揺れを弾性部材が本体に伝えることにより、ガイド部材に沿って本体を落下しやすくすることができる。
【発明の効果】
【００１２】
本発明によれば、任意の配線用遮断器に容易に取り付けることができ、また、地震後に電気の供給を再開させた際に火災が発生するのを防止することができる地震用電気遮断装置を提供することができる。
【発明を実施するための最良の形態】
【００１３】
以下、図面に基づき、本発明の実施の形態について説明する。
図１乃至図３は、本発明の実施の形態の地震用電気遮断装置を示している。
図１（ａ）に示す地震用電気遮断装置１０は、図１（ｂ）に示す住宅用分電盤１に取り付けて用いられる。
【００１４】
図１（ｂ）に示すように、住宅用分電盤１は、ケース２と電流制限器３と漏電遮断器（図示せず）と複数の配線用遮断器４ａ乃至４ｊと複数の表示部５とを有している。漏電遮断器は、ケース２の内部に設けられている。各配線用遮断器４ａ乃至４ｊは、ケース２の上部および下部に分けて設けられており、通電する上側位置と遮断する下側位置とで切替可能に構成されている。各表示部５は、各配線用遮断器４ａ乃至４ｊに対応してケース２の中央部に設けられ、各配線用遮断器４ａ乃至４ｊの電気の供給先を示している。
【００１５】
図１（ａ）に示すように、地震用電気遮断装置１０は、本体１１とガイド部材１２と支持部材１３とを有している。
本体１１は、矩形の板状であり、各配線用遮断器４ａ乃至４ｊに対応する位置に、各配線用遮断器４ａ乃至４ｊの先端を挿入可能な矩形状の挿入孔１４を有している。また、各配線用遮断器４ａ乃至４ｊの表示部５が見えるよう、中央部に矩形状の表示窓１５を有している。本体１１は、各挿入孔１４の上部に着脱可能な遮断用係合部材１６ａ乃至１６ｊを有している。遮断用係合部材１６ａ乃至１６ｊは、先端が丸みを帯びており、本体１１の表面から垂直に先端が突出するよう挿入孔１４に取り付けられる。
【００１６】
本体１１は、下端の中央部に重り１７を有している。重り１７は、弾性部材１８を介して揺動可能に本体１１に設けられ、本体１１から下方に突出している。弾性部材１８は、コイルバネから成っている。重り１７は、遮断用係合部材１６ａ乃至１６ｊが各配線用遮断器４ａ乃至４ｊと係合して重量を載せたとき、各配線用遮断器４ａ乃至４ｊを上側位置から下側位置に落とす重量を有している。
【００１７】
ガイド部材１２は、１対の平行な縦側部１９と梁部２０とを一体的に有している。梁部２０は、各縦側部１９の一端に垂直に設けられている。各縦側部１９は、レール状であって、互いに対向する側に本体１１の側部の長さより長い溝を有している。梁部２０は、上縁２０ａが各縦側部１９を含む面に対して垂直に突出している。ガイド部材１２は、遮断用係合部材１６ａ乃至１６ｊの先端を上縁２０ａの突出方向に向けて、本体１１の側部が溝に挿入されている。ガイド部材１２は、本体１１を溝に沿って案内可能に保持している。
【００１８】
ガイド部材１２は、突出した上縁２０ａを住宅用分電盤１の上面に引っ掛け、各縦側部１９を住宅用分電盤１の正面に貼り付けて、取り付けられる。このとき、ガイド部材１２は、遮断用係合部材１６ａ乃至１６ｊが係合して各配線用遮断器４ａ乃至４ｊを上側位置から下側位置に落とすよう、本体１１を案内可能に取り付けられる。
【００１９】
支持部材１３は、本体１１を重り１７の下端で支持して、住宅用分電盤１に取り付けられる。支持部材１３は、本体１１が溝の上部に位置する状態で取り付けられる。支持部材１３は、住宅用分電盤１から正面前方側に傾斜している。支持部材１３は、所定以上の強度の振動により重り１７がはずれて本体１１をガイド部材１２に沿って落下可能に重り１７を支持している。
【００２０】
なお、図１（ｂ）に示すように、住宅用分電盤１の具体的な一例では、配線用遮断器４ａ乃至４ｊのうち、４ａ，４ｂ，４ｃ，４ｄ，４ｆ，４ｇ，４ｈは上側位置に、４ｅ，４ｉ，４ｊは下側位置になっている。配線用遮断器４ａ乃至４ｊのうち、４ｃ，４ｄ，４ｆ，４ｇ，４ｈは室内コンセントに対応し、４ａ，４ｂは電灯に対応している。
【００２１】
次に、作用について説明する。
図２に示すように、地震用電気遮断装置１０は、住宅用分電盤１に取り付けて使用される。まず、あらかじめ遮断用係合部材１６ａ乃至１６ｊを本体１１から取り外しておく。ガイド部材１２の上縁２０ａを住宅用分電盤１の上面に引っ掛け、各縦側部１９を住宅用分電盤１の正面に貼り付ける。本体１１をガイド部材１２の溝の上側に持ち上げ、支持部材１３を住宅用分電盤１に垂直に突出するよう取り付ける。さらに、本体１１の下端の重り１７を支持部材１３の上で支持し、本体１１をガイド部材１２にセットする。
【００２２】
遮断用係合部材１６ｃ，１６ｄ，１６ｆ，１６ｇ，１６ｈを、室内コンセントに対応する配線用遮断器４ｃ，４ｄ，４ｆ，４ｇ，４ｈが地震時に遮断されるよう対応する挿入孔１４に取り付ける。遮断用係合部材１６ａ，１６ｂは、電灯に対応する配線用遮断器４ａ，４ｂが地震時に遮断されないよう外したままにする。また、遮断用係合部材１６ｅ，１６ｉ，１６ｊも、下側位置にある配線用遮断器４ｅ，４ｉ，４ｊが遮断されないよう外したままにする。このように、地震用電気遮断装置１０は、遮断用係合部材１６ａ乃至１６ｊの着脱により、複数の配線用遮断器４ａ乃至４ｊのうち地震時に遮断したい任意の配線用遮断器に容易に取り付けることができる。地震時に遮断したい配線用遮断器は、設定後に変更することができる。
【００２３】
図３に示すように、地震用電気遮断装置１０では、地震により所定以上の強度の振動が加えられると、重り１７が支持部材１３の上で揺動してバランスを崩して外れ、落下する。これにより、本体１１がガイド部材１２に沿って落下する。地震用電気遮断装置１０は、支持部材１３が本体１１を重り１７で支持しているため、地震が起きたとき、重り１７が支持部材１３の上で揺動し、本体１１は落下しやすくなっている。さらに、図３に示すように、地震用電気遮断装置１０では、重り１７が支持部材１３から外れて落下したとき、重り１７の揺れを弾性部材１８が本体１１に伝えることにより、本体１１がガイド部材１２の溝に沿って落下しやすくなっている。このように、地震が起きたとき、本体１１の落下を容易にして、配線用遮断器４ｃ，４ｄ，４ｆ，４ｇ，４ｈの遮断をより確実に行うことができる。
【００２４】
本体１１が落下すると、本体１１の遮断用係合部材１６ｃ，１６ｄ，１６ｆ，１６ｇ，１６ｈが対応する配線用遮断器４ｃ，４ｄ，４ｆ，４ｇ，４ｈと係合し、本体１１の重量により配線用遮断器４ｃ，４ｄ，４ｆ，４ｇ，４ｈを上側位置から下側位置に落とす。これにより、配線用遮断器４ｃ，４ｄ，４ｆ，４ｇ，４ｈに対応する室内コンセントの電気の供給は遮断され、その漏電による火災を防止することができる。
【００２５】
このとき、電灯に対応する配線用遮断器４ａ，４ｂは、そのまま落とされずに上側位置に維持され、その電灯の電気の供給は確保される。このため、地震時でも電灯に電気を供給して夜間に明かりを確保し、避難を容易にすることができる。地震後に電灯は点いているため、室内コンセントに対応する配線用遮断器４ｃ，４ｄ，４ｆ，４ｇ，４ｈを上側位置に戻して電気の供給を再開させる際に、室内コンセントに接続された電気器具を確認し、それによる火災発生を防止することができる。
【図面の簡単な説明】
【００２６】
【図１】本発明の実施の形態の（ａ）地震用電気遮断装置を示す正面図、（ｂ）住宅用分電盤を示す正面図である。
【図２】図１に示す地震用電気遮断装置を住宅用分電盤に取り付けた状態を示す（ａ）正面図、（ｂ）Ａ−Ａ端面図である。
【図３】図１に示す地震用電気遮断装置の本体が落下した状態を示す（ａ）正面図、（ｂ）Ａ−Ａ端面図である。
【符号の説明】
【００２７】
１    住宅用分電盤
２    ケース
３    電流制限器
４ａ，４ｂ，４ｃ，４ｄ，４ｅ，４ｆ，４ｇ，４ｈ，４ｉ，４ｊ    配線用遮断器
５    表示部
１０  地震用電気遮断装置
１１  本体
１２  ガイド部材
１３  支持部材
１４  挿入孔
１５  表示窓
１６ａ，１６ｂ，１６ｃ，１６ｄ，１６ｅ，１６ｆ，１６ｇ，１６ｈ，１６ｉ，１６ｊ  遮断用係合部材
１７  重り
１８  弾性部材
１９  縦側部
２０  梁部
【図１】
2005110458.tif 000003
【図２】
2005110458.tif 000004
【図３】
2005110458.tif 000005